(57)【要約】【課題】使用済み充電電池と充電済み充電電池とを容易に、且つ短時間で交換でき、さらに広告を視聴する機会を新たに生み出す広告表示装置を提供する。【解決手段】各種広告情報を表示可能な広告表示部１１と、各種充電済み充電電池２０を格納する格納部１２と、格納部１２に格納された充電済み充電電池２０が取出可能な電池取出口１５と、各種携帯情報端末の使用済み充電電池３０を投入可能な電池投入口１６とを有し、充電電池の交換を可能とする。【選択図】図１
2013083811.tif 000002
【特許請求の範囲】
【請求項１】
各種広告情報を表示可能な広告表示部と、
各種充電済み充電電池を格納する格納部と、
前記格納部に格納された充電済み充電電池が取出可能な電池取出口と、
各種携帯情報端末の使用済み充電電池を投入可能な電池投入口と、
を有する
ことを特徴とする広告表示装置。
【請求項２】
現金を投入可能な現金投入口と、
各種携帯情報端末の充電済み充電電池を選択可能とする電池選択部と、
を備え、
前記現金投入口に投入された現金の金銭的価値を判定する金銭的価値判定手段と、
前記金銭的価値判定手段が判定した金銭的価値に基づき、前記電池選択部により選択された充電済み充電電池を前記格納部から前記電池取出口に搬送する電池搬送手段と、
を有する
ことを特徴とする請求項１記載の広告表示装置。
【請求項３】
前記電池投入口に投入された使用済み充電電池の電池情報を取得する電池情報取得手段と、
前記電池情報取得手段が取得した使用済み充電電池の電池情報を記憶する電池情報記憶手段と、
前記電池情報記憶手段が記憶した使用済み充電電池の電池情報を識別する電池情報識別手段と、
を有する
ことを特徴とする請求項１又は２に記載の広告表示装置。
【請求項４】
前記電池情報識別手段が識別した使用済み充電電池の電池情報により、前記使用済み充電電池を充電する充電手段と、
前記充電手段により充電が完了した使用済み充電電池を充電済み充電電池として、前記格納部に格納する電池格納手段と、
を有する
ことを特徴とする請求項３に記載の広告表示装置。
【請求項５】
前記電池情報識別手段が識別した使用済み充電電池の電池情報に基づいて、所定の広告情報を前記広告表示部に送信する広告送信手段と、
を有する
ことを特徴とする請求項３又は４に記載の広告表示装置。
【請求項６】
前記電池情報識別手段が識別した使用済み充電電池の電池情報により、所定の現金を出金する出金手段と、
を有する
ことを特徴とする請求項３から５の何れかに記載の広告表示装置。
【請求項７】
前記使用済み充電電池を急速充電可能な急速充電手段を有し、
前記急速充電手段が前記使用済み充電電池を急速充電する間、前記広告表示部が所定の広告情報を表示する
ことを特徴とする請求項１から６の何れかに記載の広告表示装置。
【発明の詳細な説明】
【技術分野】
【０００１】
本発明は、各種商品やサービス等の広告を表示する広告表示装置に関する。
【背景技術】
【０００２】
携帯電話や、スマートフォン等の携帯情報端末は飛躍的に性能が進歩し、小型化、軽量化、高機能化へ進んでいる。特にスマートフォンは、通話や、メールの送受信に限らず、Ｗｅｂ情報の閲覧、写真や動画の撮影、ダウンロードしたワンセグＴＶ、ラジオ、音楽等の視聴、ユーザーのスケジュール管理、及びダウンロードしたゲーム等のソフトウェアを利用することが可能である。スマートフォン等の携帯情報端末は、本体にセットされた電池パックにより駆動するものである。電池パックとして、繰り返し充電可能な二次電池、例えばニッケル水素電池、リチウムイオン電池が使用されている。
【０００３】
また、スマートフォン等の携帯情報端末の小型化、軽量化、高機能化を実現するために、二次電池の小型化、軽量化、さらに電池の高容量化も実現されているが、小型、軽量化した二次電池の蓄積電力には限界があるのが現状である。そのため、ユーザーが、充電済みのスマートフォン等の携帯情報端末を所持し、外出時、例えば通勤や通学時、仕事や休憩中に、通話、メールの送受信、Ｗｅｂ情報の閲覧、ダウンロードしたワンセグＴＶ、ラジオ、音楽等の視聴、ユーザーのスケジュール管理、ゲームを行うことにより、電池パックの残存充電量が減少していき、ついには残存充電量が不足し、スマートフォンの使用中に、スマートフォン等の各機能が使用不可となり、仕事等に支障をきたす状況が生じるおそれがある。
【０００４】
このような状況を回避するため、ユーザーは、充電器を普段から携帯し、家庭や職場等において充電したり、コンビニエンスストアや家電量販店等で販売されている乾電池から充電できる簡易的な充電器等を購入したり、又は特許文献１に開示されたコンビニエンスストア等に設置されたセルフサービス式充電スタンドを使用していた。
【０００５】
また、ユーザーが地上鉄道、地下鉄道、バス及び飛行機等を利用するため、駅、バスターミナル、空港等のパブリックスペースを訪れた際、ユーザーが携帯電話や、スマートフォン等を操作している時に、電池パックの残存充電量が不足していることに気がつくことがある。
【先行技術文献】
【特許文献】
【０００６】
【特許文献１】特開２００４−２１５３９８
【特許文献２】特開２００３−２０８５３９
【発明の概要】
【発明が解決しようとする課題】
【０００７】
しかしながら、充電器を常時携帯していたとしても、家庭や職場等に行く必要があり、駅、バスターミナル、空港等のパブリックスペースでは充電器を使用できないため、スマートフォンが使用できない。また、充電器を常時携帯することが煩わしい場合もあるのに加え、家庭や職場等に充電器を置き忘れるおそれもある。さらに、簡易的な充電器等を購入するにしても、コンビニエンスストア等に行く必要があるのに加え、簡易的な充電器等であっても、気軽に購入出来るほど安いものではなかった。
【０００８】
また、特許文献１に開示された充電スタンドは、携帯電話端末の電池パックを急速に充電可能であるが、ユーザーが利用している携帯電話端末を充電スタンドに接続し、充電する構成であるため、ユーザーは、携帯電話端末の充電が完了した後、充電スタンドからユーザーの携帯電話端末等を取り外す必要がある。そのため、携帯電話端末等の充電が完了する前に、ユーザーが乗車する予定の地上鉄道や、地下鉄道や、バス等がホーム、バスターミナル等に到着した場合、ユーザーは地上鉄道、地下鉄道、バス等に乗り遅れるおそれがある。
【０００９】
駅、バスターミナル、空港等のパブリックスペースには、各種文字、画像、音等で表示される広告を表示可能なサインボード等の広告表示装置が設置されており、広告表示装置の中には、ユーザーの携帯電話や、スマートフォン等の携帯情報端末に広告やクーポン等を配信する広告表示装置がある（特許文献２参照）。ここで、広告やクーポンの配信を受けるためだけに、広告に表示されているＱＲコード等を読み取る必要や、ＵＲＬにアクセスする必要がある。
【００１０】
本発明は上記課題に鑑み提案するものであって、スマートフォン等の携帯情報端末の使用済み充電電池を充電済み充電電池と交換する間に、ユーザーに広告を視聴する機会を生み出すことにより、新しい広告効果を得ることができる表示広告装置を提供することを目的とする。
【課題を解決するための手段】
【００１１】
本発明の広告表示装置は、各種広告情報を表示可能な広告表示部と、各種充電済み充電電池を格納する格納部と、前記格納部に格納された充電済み充電電池が取出可能な電池取出口と、各種携帯情報端末の使用済み充電電池を投入可能な電池投入口とを有することを特徴とする。
この構成により、様々な場所に設置可能な表示広告装置において、ユーザーが利用する携帯情報端末、例えば携帯電話やスマートフォン等の使用済み充電電池を充電済み充電電池と容易に交換可能となる。一方、企業側は、ユーザーが使用済み充電電池を充電済み充電電池と交換することにより、ユーザーに企業の商品やサービスの広告を視聴させる機会を生じさせ、新しい広告効果を得ることが可能となる。
【００１２】
本発明の広告表示装置は、現金を投入可能な現金投入口と、各種携帯情報端末の充電済み充電電池を選択可能とする電池選択部とを備え、前記現金投入口に投入された現金の金銭的価値を判定する金銭的価値判定手段と、前記金銭的価値判定手段が判定した金銭的価値に基づき、前記電池選択部により選択された充電済み充電電池を前記格納部から前記電池取出口に搬送する電池搬送手段とを有することを特徴とする。
この構成により、ユーザーは充電済み充電電池を手間をかけることなく取得できる。
【００１３】
本発明の広告表示装置は、前記電池投入口に投入された使用済み充電電池の電池情報を取得する電池情報取得手段と、前記電池情報取得手段が取得した使用済み充電電池の電池情報を記憶する電池情報記憶手段と、前記電池情報記憶手段が記憶した使用済み充電電池の電池情報を識別する電池情報識別手段とを有することを特徴とする。
この構成により、ユーザーが使用した使用済み充電電池の電池情報を容易に識別することが可能となる。
【００１４】
本発明の広告表示装置は、前記電池情報識別手段が識別した使用済み充電電池の電池情報により、前記使用済み充電電池を充電する充電手段と、前記充電手段により充電が完了した使用済み充電電池を充電済み充電電池として、前記格納部に格納する電池格納手段とを有することを特徴とする。
この構成により、使用済み充電電池を充電し、充電済み充電電池として、格納部に格納するため、充電電池交換の費用を抑えることができる。
【００１５】
本発明の広告表示装置は、前記電池情報識別手段が識別した使用済み充電電池の電池情報に基づいて、所定の広告情報を前記広告表示部に送信する広告送信手段とを有することを特徴とする。
この構成により、企業側は、ユーザーが使用済み充電電池を充電済み充電電池と交換することにより、ユーザーに企業の商品やサービスの広告を視聴させる機会を生じさせ、新しい広告効果を得ることが可能となる。
【００１６】
本発明の広告表示装置は、前記電池情報識別手段が識別した使用済み充電電池の電池情報により、所定の現金を出金する出金手段とを有することを特徴とする。
この構成により、充電電池の交換を行ったユーザーは、所定の現金を取得できる。
【００１７】
本発明の広告表示装置は、前記使用済み充電電池を急速充電可能な急速充電手段を有し、前記急速充電手段が前記使用済み充電電池を急速充電する間、前記広告表示部が所定の広告情報を表示することを特徴とする。
この構成により、急速充電の間、ユーザーに商品やサービス等の広告を視聴させることが可能となり、広告の価値を向上させることができる。
【００１８】
本発明の広告表示装置は、駅、バスターミナル、空港等のパブリックスペース等に設置することを特徴とする。
この構成により、駅、バスターミナル、空港等のパブリックスペース等を利用するユーザーに、当該パブリックスペースに設けられた広告表示装置に表示される各種広告を視聴させることができるため、新しい広告効果を得ることが可能となる。
【００１９】
本発明の広告表示装置は、各種広告情報を表示可能な広告表示部と、各種充電済み充電電池を格納する格納部と、現金を投入可能な現金投入口と、各種携帯情報端末の充電済み充電電池を選択可能とする電池選択部と、前記格納部に格納された充電済み充電電池が取出可能な電池取出口と、各種携帯情報端末の使用済み充電電池を投入可能な電池投入口とを備え、前記現金投入口に投入された現金の金銭的価値を判定する金銭的価値判定手段と、前記金銭的価値判定手段が判定した金銭的価値に基づき、前記電池選択部により選択された充電済み充電電池を前記電池取出口に搬送する電池搬送手段と、前記電池投入口に投入された使用済み充電電池の電池情報を取得する電池情報取得手段と、前記電池情報取得手段が取得した使用済み充電電池の電池情報を記憶する電池情報記憶手段と、前記電池情報記憶手段が記憶した使用済み充電電池の電池情報を識別する電池情報識別手段と、前記電池情報識別手段が識別した使用済み充電電池の電池情報により、前記使用済み充電電池を充電する充電手段と、前記充電手段により充電が完了した使用済み充電電池を充電済み充電電池として、前記格納部に格納する電池格納手段と、前記電池情報識別手段が識別した使用済み充電電池の電池情報により、所定の現金を出金する出金手段と、前記電池情報識別手段が識別した使用済み充電電池の電池情報に基づいて、前記広告表示部に所定の広告情報を送信する広告送信手段とを有することを特徴とする。
この構成により、様々な場所に設置可能な表示広告装置において、ユーザーが広告を視聴することにより、ユーザーが利用する携帯情報端末、例えば携帯電話やスマートフォン等の使用済み充電電池を充電済み充電電池と容易に交換可能となる。また、ユーザーが使用済み充電電池を充電済み充電電池と交換することにより、ユーザーは金銭的負担を抑えることができる。一方、スマートフォン等を製造、又は販売する企業側は使用済み充電電池を手間をかけることなく回収できる。また、企業側は、ユーザーが使用済み充電電池を充電済み充電電池と交換することにより、ユーザーに企業の商品やサービスの広告を視聴させる機会を生じさせ、新しい広告効果を得ることが可能となる。
【発明の効果】
【００２０】
本発明の広告表示装置を用いることによって、様々な場所、例えば駅、バスターミナル、空港等のパブリックスペースに設置されている表示広告装置で、ユーザーが利用する携帯情報端末、例えば携帯電話やスマートフォン等の使用済み充電電池と充電済み充電電池を容易に、且つ短時間で交換できると共に、使用済み充電電池を充電する手間を省くことができる。さらに、ユーザーから回収した使用済み充電電池を充電し、ユーザーに充電済み充電電池として提供するため、充電電池のリサイクル率を向上させることが出来る。
【００２１】
一方、携帯電話やスマートフォン等を製造、又は販売する企業側は、使用済み充電電池を手間をかけることなく回収できる。また、企業側は、ユーザーが使用済み充電電池を充電済み充電電池と交換することにより、ユーザーに企業の商品やサービスの広告を視聴させる機会を生じさせ、新しい広告効果を得ることが可能となる。
【図面の簡単な説明】
【００２２】
【図１】本実施形態の広告表示装置全体の構成の一例を示す概念図。
【図２】本実施形態の電池情報レコードの項目の一例を示す図。
【図３】本実施形態の広告表示装置の充電済み充電電池と使用済み充電電池との交換処理手順を示すフローチャート。
【図４】本実施形態の広告表示装置の急速充電処理手順を示すフローチャート。
【発明を実施するための形態】
【００２３】
本発明に係る実施形態の広告表示装置について図面を参照して説明する。図１は本実施形態の広告表示装置１０の全体の構成を示す概念図である。
【００２４】
〈本実施形態の広告表示装置の構成〉
本実施形態の広告表示装置１０は、装置本体１０１と、各種広告情報を表示可能な広告表示部１１と、各種充電済み充電電池２０を格納する格納部１２と、現金を投入可能な現金投入口１３と、各種携帯情報端末の充電済み充電電池２０を選択可能とする電池選択部１４と、充電済み充電電池２０が取出可能な電池取出口１５と、各種携帯情報端末の使用済み充電電池３０を投入可能な電池投入口１６とを備える。なお、図示しないが各種メッセージを表示可能なメッセージ表示部を設けるとよい。
【００２５】
本実施形態の広告表示装置１０は、駅、バスターミナル、空港等のパブリックスペースに設置され、装置本体１０１の形状は、広告表示部１１の形状や、大きさに従い、立方体、直方体、円柱形等に形成される。
【００２６】
広告表示部１１は、駅、バスターミナル、空港等のパブリックスペース等に設置されるサインボードであって、例えば画像、動画、音等から構成される広告情報を表示できる液晶ディスプレイ等である。広告表示部１１は、駅、バスターミナル、空港等のパブリックスペース等を利用するユーザーの目に付き易い装置本体１０１の表面、例えば通路側に設置される。また、広告表示部１１は、後述する広告送信手段５０から送信される広告情報を受信する受信部（図示しない）を備える。
【００２７】
格納部１２は、装置本体１０１の内部に設けられ、充電済み充電電池２０を例えば缶飲料やＰＥＴ飲料のように種別毎に整理して格納する。また、格納部１２は自動車の機械式駐車場の様にして格納する構成としてもよい。
【００２８】
格納部１２に格納された充電済み充電電池２０は、後述する電池搬送手段４４により電池取出口１５に搬送され、ユーザーは容易に電池取出口１５から充電済み充電電池２０を取り出すことができる。なお、充電済み充電電池２０が外に飛び出ることを防止するため、電池取出口１５に飛び出し防止扉を設けるとよい。
【００２９】
現金投入口１３は、硬貨及び紙幣の投入可能な構成である。なお、図示しないが釣銭を排出するための釣銭口と、釣銭が必要となった場合に備えて、釣銭を保持しておく釣銭保持部とを備える。
【００３０】
電池選択部１４は、各種携帯情報端末の充電済み充電電池２０の種別毎に割り当てられたスイッチやタッチパネル等である。充電済み充電電池２０の種別毎に割り当てられたスイッチが押されると、電池選択部１４は、選択された充電済み充電電池２０の電池選択情報を後述する電池搬送手段４４へ送信する。
【００３１】
本実施形態では、電池選択部１４は、ユーザーが現金投入口１３に現金を投入することにより、選択可能となる。具体的には、充電電池交換の補償金として５００円を設定した場合、ユーザーが５００円硬貨を現金投入口１３に投入すると、後述する金銭的価値判定手段４３が当該５００円硬貨を５００円の金銭的価値を有すると判定した場合、電池選択部１４において、ユーザーは利用する携帯電話、スマートフォンと一致する充電済み充電電池２０を選択することが可能となる。
【００３２】
電池投入口１６は、使用済み充電電池３０を投入可能、即ちセット可能であり、ユーザーが携帯電話、スマートフォン等の携帯情報端末から取り外した使用済み充電電池３０を保持する保持部が設けるとよい。
【００３３】
なお、現金投入口１３と、電池選択部１４と、電池取出口１５と、電池投入口１６とは、装置本体１０１の表面、例えば通路側のユーザが利用し易い位置に設けるとよい。
【００３４】
また、広告表示装置１０は、装置本体１０１の内部に、制御部４１と、各種携帯情報端末、例えば携帯電話、スマートフォン等の電池情報を記憶する電池情報記憶手段、即ち電池情報データベース（電池情報ＤＢ）４２とを有し、また図示しないが主メモリと、各種処理プログラム及び必要なデータ等を記憶する記憶部とを有する。
【００３５】
制御部４１は、記憶部に記憶された各種処理プログラムを主メモリにロードして、金銭的価値判定手段４３と、電池搬送手段４４と、電池情報取得手段４５と、電池情報識別手段４６と、充電手段４７と、電池格納手段４８と、出金手段４９と、広告送信手段５０とを有する。また、制御部４１は、急速充電手段５１を有してもよい。
【００３６】
金銭的価値判定手段４３は、現金投入口１３に投入された現金の金銭的価値を判定する手段である。具体的には、ユーザーが現金投入口１３から５００円硬貨を投入した場合、投入された５００円硬貨が５００円の金銭的価値を有するか否かを判定する。
【００３７】
電池搬送手段４４は、電池選択部１４により選択された充電済み充電電池２０を電池取出口１５に搬送する手段である。電池搬送手段４４は、電池選択部１４から送信された電池選択情報を受信すると、格納部１２に格納された各種充電済み充電電池２０から当該電池選択情報と一致する充電済み充電電池２０を取出し、電池取出口１５に搬送する。
【００３８】
電池情報取得手段４５は、電池投入口１６に投入された使用済み充電電池３０の電池情報３１を取得する手段である。電池情報取得手段４５は、各種センサ等から構成されるものであり、使用済み充電電池３０の電池情報３１、例えば使用済み充電電池３０の種別等を取得し、取得した使用済み充電電池３０の電池情報３１を電池情報ＤＢ４２に登録する。ここで、使用済み充電電池３０に、予め充電電池の種別等を示す識別番号やバーコードを印刷、又は貼布しておくと、貼付されたバーコードを読み取ることにより充電電池の種別等の使用済み充電電池３０の電池情報３１を容易に取得することが可能となる。なお、電池情報取得手段４５は、各種充電電池の型番、品番を読み取ってもよい。
【００３９】
また、電池情報取得手段４５は、電池投入口１６に投入された使用済み充電電池３０の電池情報３１を取得する際、使用済み充電電池３０毎に固有の識別番号を示す電池ＩＤを付与してもよい。
【００４０】
電池情報３１は、図２に示す電池情報レコードから構成される。電池情報レコードは、「電池ＩＤ」を示すフィールド３２と、「種別番号」を示すフィールド３３と、「充電対象」を示すフィールド３４と、「充電状況」を示すフィールド３５を有する。
【００４１】
「電池ＩＤ」は、上述したとおり、電池投入口１６に投入された使用済み充電電池３０毎に付与される固有の識別番号であり、使用済み充電電池３０が充電されて、充電済み充電電池２０となった後も、変更されることはない。また、「種別番号」は、充電電池の種別毎に付与された識別番号であり、充電電池の種別を示す識別番号やバーコードを予め充電電池に印刷、又は貼布しておくとよい。
【００４２】
また、「充電対象」は、後述する電池情報識別手段４６が電池投入口１６に投入された使用済み充電電池３０を充電対象であるか否かを識別した結果であり、充電対象である場合はフィールド３４に「ＹＥＳ」と、一方充電対象外である場合はフィールド３４に「ＮＯ」と登録される。さらに、「充電状況」は、充電手段４７による充電が完了した場合はフィールド３５に「充電済み」と、充電手段４７による充電が実施中の場合はフィールド３５に「充電中」と、充電手段４７による充電が未実施の場合はフィールド３５に「未実施」と登録される。
【００４３】
電池情報識別手段４６は、電池情報ＤＢ４２が記憶した使用済み充電電池３０の電池情報３１を識別する手段である。具体的には、電池情報識別手段４６は、電池投入口１６に投入された使用済み充電電池３０の電池情報レコードのフィールド３３に示す「種別番号」に基づいて、当該使用済み充電電池３０が充電対象か否かを識別する。
【００４４】
具体的には、当該使用済み充電電池３０の電池情報３１の「種別番号」が、電池情報ＤＢ４２に予め記憶された充電対象である携帯電話、スマートフォン等の電池情報の充電対象種別番号リスト中の「種別番号」と一致するか否かを識別し、一致する場合、充電対象と識別する。一方、一致しない場合、充電対象外と識別する。
【００４５】
なお、電池情報識別手段４６は、後述する急速充電部１７に接続された使用済み充電電池３０の電池情報から使用済み充電電池３０が充電対象であると識別した場合、予測充電終了時間を算出し、メッセージ表示部に算出した予測充電終了時間を表示させてもよい。
【００４６】
充電手段４７は、電池情報識別手段４６が識別した使用済み充電電池３０の電池情報３１により、使用済み充電電池３０を充電する手段である。具体的には、充電手段４７は、電池情報識別手段４６が充電対象と識別した使用済み充電電池３０と電気的に接続可能な充電用コネクタを有しており、充電用コネクタが使用済み充電電池３０と接続し、充電を実施する。
【００４７】
電池格納手段４８は、充電手段４７による充電が完了した使用済み充電電池３０を充電済み充電電池２０として、格納部１２に格納する手段である。電池格納手段４８は、充電済み充電電池２０を種別に整理して格納部１２に格納する。また、電池格納手段４８が電池投入口１６に投入された使用済み充電電池３０を充電電池の種別毎に格納部１２に格納した後、充電手段４７が使用済み充電電池３０に対し、充電を実施してもよい。
【００４８】
出金手段４９は、電池情報識別手段４６が識別した使用済み充電電池３０の電池情報３１により、所定の現金を出金する手段である。即ち、電池投入口１６に投入された使用済み充電電池３０が電池情報識別手段４６により充電対象であると識別された場合、出金手段４９は所定の現金を出金する。具体的には、ユーザーが現金投入口１３から電池交換の補償金として５００円硬貨を投入した場合、投入された５００円硬貨に対し、投入された現金と同額の５００円を出金する構成としてもよいし、電池交換の諸経費を差し引いた残りの金額を出金する構成としてもよい。
【００４９】
広告送信手段５０は、電池情報識別手段４６が識別した使用済み充電電池３０の電池情報３１に基づいて、所定の広告情報を広告表示部１１に送信する手段である。具体的には、電池投入口１６に投入された使用済み充電電池３０が電池情報識別手段４６により充電対象であると識別された場合、広告送信手段５０は所定の広告情報、換言すれば限定した広告情報（以下、限定広告情報と記す）を広告表示部１１に送信する。送信された限定広告情報は広告表示部１１の受信部により受信され、広告表示部１１の一部領域に表示される。なお、限定広告情報は、クーポンやお得情報でも、限定バージョンの広告であってもよい。
【００５０】
また、広告送信手段５０は、電池搬送手段４４が選択された充電済み充電電池２０を電池取出口１５に搬送する際に、限定広告情報を広告表示部１１に送信してもよい。さらに、広告送信手段５０は、充電手段４７が使用済み充電電池３０の充電を実施する間、限定広告情報を広告表示部１１に送信してもよい。
【００５１】
なお、広告送信手段５０は、電池情報識別手段４６が識別した使用済み充電電池３０の電池情報３１に寄与せず、各種広告情報を広告表示部１１に送信し、送信された広告情報を広告表示部１１に表示させることも可能である。
【００５２】
急速充電手段５１は、使用済み充電電池３０を急速充電する手段である。急速充電手段５１は、使用済み充電電池３０と電気的に接続可能な急速充電部１７を備えており、使用済み充電池３０が急速充電手段５１にセットされると、急速充電を開始する。急速充電の方法としては、電池が満充電となった時若干の電圧降下が生じるという特性を利用したマイナスデルタブイ方式と呼ばれる方法（特開昭５９−１９４６４０号公報等）や、電池自身の発熱温度の変化を測定することにより充電状態を検出する方法（特開昭５９−６７３１号公報）やその他の急速充電方法（特開平５−２４４７２９）を用いることができる。
【００５３】
また、本実施形態の広告表示装置１０は、ネットワークを介してデータの送受信が可能な図示しない管理サーバによって、本実施形態の広告表示装置１０における各手段を制御してもよい。例えば、充電済み充電電池２０の数が不足することがない様に充電済み充電電池２０の在庫量を管理する構成、また充電電池は充電を何回も繰り返すことにより徐々に劣化するため、充電電池の充電回数を管理する構成、また広告表示部１１に表示する広告の種類、回数、タイミング等を管理する構成としてもよい。ここで、ネットワークとは、インターネット等のオープンネットワーク、ＬＡＮ等のクローズドネットワーク、それらの組合せのイントラネット、公衆電話回線等のいずれであっても良く、有線・無線の別も問わない。
【００５４】
広告表示装置１０に於ける各手段、データベースは、その機能が論理的に区別されているのみであって、物理上あるいは事実上は同一の領域を為していても良い。又データベースの代わりにデータファイルであっても良いことは言うまでもなく、データベースとの記載にはデータファイルをも含んでいる。
【００５５】
〈本実施形態の広告表示装置の各処理手順〉
次に、広告表示装置１０の各処理手順を説明する。図３のフローチャートに示す広告表示装置１０の充電済み充電電池２０と使用済み充電電池３０との交換処理の手順、図４のフローチャートに示す広告表示装置１０の急速充電処理の手順について、以下説明する。
【００５６】
先ず、広告表示装置１０の充電済み充電電池２０と使用済み充電電池３０との交換処理の手順を説明する。本実施形態の広告表示装置１０は、駅、バスターミナル、空港等のパブリックスペースに設置されるものとし、ユーザーは地上鉄道、地下鉄道、バス及び飛行機等を利用するため、駅、バスターミナル、空港等のパブリックスペースを訪れたユーザーとする。
【００５７】
ステップＳ１０１において、ユーザーが現金を現金投入口１３に投入する。本実施形態では、電池交換の補償金として５００円を投入する。
【００５８】
ステップＳ１０２において、金銭的価値判定手段４３は、現金投入口１３に投入された現金の金銭的価値を判定する。本実施形態では、ユーザーが５００円硬貨を投入した場合、当該硬貨が５００円の金銭的価値に有するか否かを判定し、５００円の金銭的価値を有すると判定した場合、ステップＳ１０３に進む。一方、５００円の金銭的価値を有しないと判定した場合、図示しない釣銭口に排出し、処理を終了する。
【００５９】
ステップＳ１０３において、ユーザーが充電済み充電電池２０の種別毎に割り当てられたスイッチ等を選択すると、電池選択部１４は充電済み充電電池２０の選択を受付後、選択された充電済み充電電池２０の電池選択情報を電池搬送手段４４へ送信する。
【００６０】
ステップＳ１０４において、電池搬送手段４４がステップＳ１０３により送信された充電済み充電電池２０の電池選択情報を受信すると、電池搬送手段４４は格納部１２に格納された各種充電済み充電電池２０の中から、受信した充電済み充電電池２０の電池選択情報と一致する充電済み充電電池２０を取出し、電池取出口１５に搬送する。ユーザーは電池取出口１５から充電済み充電電池２０を取出し、ユーザーの携帯電話、スマートフォン等にセットされた使用済み充電電池３０と、電池取出口１５から取り出した充電済み充電電池２０を交換することにより、使用済み充電電池３０を充電することなく、ユーザーは携帯電話、スマートフォンをすぐに起動し、使用することができる。
【００６１】
ステップＳ１０５において、ユーザーの携帯電話や、スマートフォン等から取り外した使用済み充電電池３０を電池投入口１６にセットすると、電池情報取得手段４５が使用済み充電電池３０の電池情報３１を取得し、当該使用済み充電電池３０の電池情報３１は電池情報ＤＢ４２に記憶される。本実施形態では、使用済み充電電池３０に、予め充電電池の種別等を示す識別番号やバーコードを印刷、又は貼布しておくと、貼付されたバーコードを読み取ることにより充電電池の種別等の使用済み充電電池３０の電池情報３１を容易に取得することが可能となる。また、電池情報取得手段４５が、各種充電電池の型番、品番を読み取ってもよく、予め充電電池の種別等を示すバーコードを貼布する必要もなく、容易に使用済み充電電池３０の電池情報３１を容易に取得できる。
【００６２】
また、電池情報取得手段４５は電池投入口１６にセットされた使用済み充電電池３０の電池情報３１を取得する際、当該使用済み充電電池３０毎に固有の識別番号として、電池ＩＤを付与する。
【００６３】
本実施形態では、電池情報３１は、図２に示す電池情報レコードから構成される。具体的には、電池情報レコードは、「電池ＩＤ」を示すフィールド３２と、「種別番号」を示すフィールド３３と、「充電対象」を示すフィールド３４と、「充電状況」を示すフィールド３５を有する。
【００６４】
ステップＳ１０６において、電池情報識別手段４６は、電池投入口１６にセットされた使用済み充電電池３０の電池情報３１から使用済み充電電池３０が充電対象であるか否かを識別する。使用済み充電電池３０が充電対象である場合、ステップＳ１０７に進む。一方、使用済み充電電池３０が充電対象外である場合、メッセージ表示部に「充電対象外です。電池投入口にセットされた充電電池を取り外して下さい。」と言ったメッセージを表示すると共に、処理を終了する。
【００６５】
本実施形態では、電池情報識別手段４６が、予め使用済み充電電池３０に印刷、又は貼布された充電電池の種別等を示す識別番号やバーコードを読み取ることにより、電池投入口１４に投入された使用済み充電電池３０が充電対象であるか否かを容易に識別できる。
【００６６】
即ち、電池情報識別手段４６は、電池投入口１６に投入された使用済み充電電池３０の電池情報３１の「種別番号」が電池情報ＤＢ４２に予め記憶された充電対象とする携帯電話、スマートフォン等の充電対象種別番号リスト中の「種別番号」と一致するか否かを識別する。一致する場合、電池情報識別手段４６は充電対象と識別し、電池情報３１の電池情報レコードのフィールド３４に「ＹＥＳ」と登録する。一方、一致しない場合、電池情報識別手段４６は充電対象外と識別し、電池情報３１の電池情報レコードのフィールド３４に「ＮＯ」と登録する。
【００６７】
ステップＳ１０７において、充電手段４７は、電池情報識別手段４６が充電対象であると識別した使用済み充電電池３０に対し、充電を実施する。本実施形態では、充電手段４７の充電用コネクタが使用済み充電電池３０と接続し、充電を実施する。
【００６８】
充電手段４７による充電が完了した場合、充電手段４７は電池情報３１の電池情報レコードのフィールド３５に「充電済み」と登録する。また、充電手段４７による充電が実施中の場合、充電手段４７は電池情報３１の電池情報レコードのフィールド３５に「充電中」と登録する。さらに、充電手段４７による充電が未実施の場合、充電手段４７は電池情報３１の電池情報レコードのフィールド３５に「未実施」と登録する。
【００６９】
ステップＳ１０８において、出金手段４９は、電池情報識別手段４６が識別した使用済み充電電池３０の電池情報３１により、所定の現金を出金する。即ち、電池投入口１６に投入された使用済み充電電池３０に対し、電池情報識別手段４６が充電対象であると識別した場合、出金手段４９は所定の現金を出金する。具体的には、ユーザーが現金投入口１３から５００円硬貨を投入した場合、電池交換の諸経費を差し引いた残りの金額、例えば２００円を出金する。なお、投入された現金と同額の５００円を出金する構成としてもよい。
【００７０】
ステップＳ１０９において、電池格納手段４８は、充電手段４７による充電が完了した使用済み充電電池３０を充電済み充電電池２０として、格納部１２に格納する。本実施形態では、電池格納手段４８は、充電済み充電電池２０を種別に整理して格納部１２に格納する。なお、ステップＳ１０７において、充電手段４７が使用済み充電電池３０に充電を実施する前に、電池格納手段４８が電池投入口１６に投入された使用済み充電電池３０を格納部１２に格納した後、ステップＳ１０７に戻り、充電手段４７が使用済み充電電池３０に充電を実施してもよい。
【００７１】
上述した電池交換処理のステップＳ１０３からＳ１０４において、広告送信手段５０は、電池搬送手段４４が選択された充電済み充電電池２０を電池取出口１５に搬送する際に、限定広告情報を広告表示部１１に送信する。送信された限定広告情報は広告表示部１１の受信部により受信された後、広告表示部１１の一部領域に表示されることにより、電池取出口１５から充電済み充電電池２０を取り出したユーザーが視聴できる。
【００７２】
また、ステップＳ１０５からＳ１０８において、広告送信手段５０は、電池情報識別手段４６が識別した使用済み充電電池３０の電池情報３１に基づいて、広告表示部１１に広告情報を送信する。具体的には、電池投入口１６に投入された使用済み充電電池３０が電池情報識別手段４６により充電対象であると識別された場合、広告送信手段５０は限定広告情報を広告表示部１１に送信する。送信された限定広告情報は広告表示部１１の受信部により受信され、広告表示部１１の一部領域に表示されることにより、充電電池を交換したユーザーが視聴できる。
【００７３】
さらに、ステップＳ１０７において、広告送信手段５０は、充電手段４７が使用済み充電電池３０に対し、充電を実施する間、限定広告情報を広告表示部１１に送信し、送信された限定広告情報を広告表示部１１の一部領域に表示させてもよい。
【００７４】
なお、ステップＳ１０１からＳ１０９における充電済み充電電池２０と使用済み充電電池３０との交換処理に寄与せず、広告送信手段５０は、各種広告情報を広告表示部１１に送信し、送信した広告情報を広告表示部１１に表示させることも可能である。
【００７５】
次に、広告表示装置１０の急速充電処理の手順を説明する。
【００７６】
ステップＳ２０１において、ユーザーが利用する携帯電話、スマートフォン等の携帯情報端末の使用済み充電電池３０を急速充電部１７に接続すると、電池情報取得手段４５が使用済み充電電池３０の電池情報３１を取得し、当該使用済み充電電池３０の電池情報３１は電池情報ＤＢ４２に記憶される。
【００７７】
ステップＳ２０２において、電池情報識別手段４６は、急速充電部１７に接続された使用済み充電電池３０の電池情報から使用済み充電電池３０が充電対象であるか否かを識別する。使用済み充電電池３０が充電対象である場合、ステップＳ２０３に進む。一方、使用済み充電電池３０が充電対象外である場合、メッセージ表示部に「充電対象外です。急速充電部に接続された充電電池を取り外して下さい。」と言ったメッセージを表示すると共に、処理を終了する。
【００７８】
ステップＳ２０３において、急速充電手段５１は、電池情報識別手段４６が充電対象であると識別した使用済み充電電池３０に対し、急速充電を開始する。急速充電の方法としては、電池が満充電となった時若干の電圧降下が生じるという特性を利用したマイナスデルタブイ方式と呼ばれる方法（特開昭５９−１９４６４０号公報等）や、電池自身の発熱温度の変化を測定することにより充電状態を検出する方法（特開昭５９−６７３１号公報）やその他の急速充電方法（特開平５−２４４７２９）を用いることができる。
【００７９】
ステップＳ２０４において、広告送信手段５０は、急速充電手段５１が使用済み充電電池３０の急速充電を実施する間、限定広告情報を広告表示部１１に送信し、送信された限定広告情報が広告表示部１１に表示されることにより、ユーザーが急速充電の間、送信された限定広告情報を視聴できる。
【００８０】
ステップＳ２０５において、急速充電手段５１による急速充電が完了すると、メッセージ表示部に、急速充電が完了したことを知らせるメッセージが表示される。
【００８１】
ステップＳ２０６において、ユーザーは、急速充電部１７に接続した携帯情報端末の充電済み充電電池２０を取り外す。
【００８２】
なお、ステップＳ２０２において、電池情報識別手段４６が、急速充電部１７に接続された使用済み充電電池３０の電池情報３１から使用済み充電電池３０が充電対象であると識別する際、予測充電終了時間を算出し、メッセージ表示部に算出した予測充電終了時間を表示させてもよい。
【００８３】
また、ステップＳ２０４における急速充電手段５１による急速充電とは独立して、広告送信手段５０は、各種広告情報を広告表示部１１に送信し、送信した広告情報を広告表示部１１に表示させることも可能である。
【００８４】
〈本実施形態の広告表示装置の効果〉
広告表示装置１０は、様々な場所に設置でき、ユーザーが利用する携帯情報端末、例えば携帯電話やスマートフォン等の使用済み充電電池３０と充電済み充電電池２０を容易に、且つ短時間で交換できると共に、使用済み充電電池３０を充電する手間を省くことができる。また、使用済み充電電池３０を充電済み充電電池２０に交換する際、広告表示部１１に広告が表示させることにより、ユーザーが商品やサービスの広告を視聴する代わりに、、充電電池の交換費用を抑えることが可能となる。
【００８５】
また、広告表示装置１０は、ユーザーから回収した使用済み充電電池３０を充電し、ユーザーに充電済み充電電池２０として再度提供するため、充電電池のリサイクル率を向上させることが出来ると共に、ユーザーに実質無料に近い金額で、充電済み充電電池２０を提供することが可能となる。
【００８６】
さらに、広告表示装置１０は、携帯電話やスマートフォン等を製造、又は販売する企業側は、ユーザーが使用済み充電電池３０を充電済み充電電池２０と交換するため、使用済み充電電池３０を手間をかけることなく回収できる。また、企業側は、ユーザーが使用済み充電電池３０を充電済み充電電池２０と交換する際、ユーザーは企業の商品やサービスの広告を視聴することになり、新しい広告効果を得ることが可能となる。
【００８７】
また、広告表示装置１０は、急速充電手段５１が使用済み充電電池３０を急速充電する間、ユーザーが商品やサービス等の広告を視聴する時間を増やすことができ、広告の価値を向上させることができる。
【００８８】
さらに、広告表示装置１０は、ユーザーが日頃よく利用するであろう、駅、バスターミナル、空港等のパブリックスペースに設置できるため、普段は広告表示の前を通り過ぎるだけであったユーザーに対し、使用済み充電電池３０と充電済み充電電池２０を交換する際、又は使用済み充電電池を急速充電をしている間、ユーザーが広告表示装置１０の広告表示部１１に表示される各種商品やサービス等の広告を視聴することになるため、新しい広告効果をもたらすことが可能となる。
【００８９】
〔本実施形態の変形例等〕
本明細書開示の発明は、各発明や実施形態の構成の他に、適用可能な範囲で、これらの部分的な構成を本明細書開示の他の構成に変更して特定したもの、或いはこれらの構成に本明細書開示の他の構成を付加して特定したもの、或いはこれらの部分的な構成を部分的な作用効果が得られる限度で削除して特定した上位概念化したものを含み、下記の変形例等も包含する。
【００９０】
本実施形態の広告表示装置１０の上記構成に加え、充電済み充電電池２０と使用済み充電電池３０とを交換するユーザーの個人情報、例えば電話番号を取得し、ユーザー毎に充電済み充電電池２０と使用済み充電電池３０とを交換した通算回数を管理し、その通算回数が所定回数以上のユーザー限定の広告等を表示させる構成としてもよい。
【００９１】
本実施形態の広告表示装置１０は、ユーザーが現金を投入することにより充電済み充電電池を取得し、使用済み充電電池を充電済み充電電池と交換することにより一定の現金を取得する構成としたが、ユーザーが所持する電子マネー媒体により充電済み充電電池を取得し、使用済み充電電池を充電済み充電電池と交換することにより一定の電子マネーを取得できる構成としてもよい。この構成により、現金のやり取りを回避することが可能となる。また、現金や電子マネーでなく、各種ポイントカードのポイントであってもよく、使用済み充電電池を充電済み充電電池と交換する毎に一定のポイントを付与させてもよい。
【００９２】
本発明は、駅、バスターミナル、空港等のパブリックスペースに設置可能な広告表示装置に利用することができる。
【符号の説明】
【００９３】
１０…広告表示装置                      １１…広告表示部
１２…格納部                            １３…現金投入口
１４…電池選択部                        １５…電池取出口
１６…電池投入口                        １７…急速充電部
２０…充電済み充電電池                  ３０…使用済み充電電池
３１…電池情報                          ４１…制御部
４２…電池情報ＤＢ                      ４３…金銭的価値判定手段
４４…電池搬送手段                      ４５…電池情報取得手段
４６…電池情報識別手段                  ４７…充電手段
４８…出金手段                          ４９…電池格納手段
５０…広告送信手段                      ５１…急速充電手段
１０１…装置本体
【図１】
2013083811.tif 000003
【図２】
2013083811.tif 000004
【図３】
2013083811.tif 000005
【図４】
2013083811.tif 000006